(57)【要約】      （修正有）【課題】極めて簡易な構成により、温室用フィルムの全体にテンションを付与しすることができ、温室に展張されたフッ素樹脂製温室用フィルムに皺が発生しない温室用フィルム張設方法及びその装置を提供すること。【解決手段】温室の屋根面又は壁面に位置する温室用部材１の任意の一方の端部に温室用フィルム６の一端を固定する第１工程と、温室用フィルムの他端にフィルム定着部材４を定着する第２工程と、温室の屋根面又は壁面に位置する温室用部材の任意の他方の端部に耐張力部材３を取付ける第３工程と、前記フィルム定着部材を前記耐張力部材方向に引っ張り、前記フィルム定着部材の係合部を前記耐張力部材の係止部３１に係止する第４工程と、からなり、前記第１乃至第３工程を順不同に実施した後、前記第４工程を実施する温室の屋根面及び壁面の開口部を除く全面に引張力を付与して温室用フィルムを張設する温室用フィルム張設方法。【選択図】図１
2006187224.tif 000002
【特許請求の範囲】
【請求項１】
温室の屋根面又は壁面に位置する温室用部材の任意の一方の端部に温室用フィルムの一端を固定する第１工程と、
温室用フィルムの他端にフィルム定着部材を定着する第２工程と、
温室の屋根面又は壁面に位置する温室用部材の任意の他方の端部に耐張力部材を取付ける第３工程と、
前記フィルム定着部材を前記耐張力部材方向に引っ張り、前記フィルム定着部材の係合部を前記耐張力部材の係止部に係止する第４工程と、からなり、
前記第１乃至第３工程を順不同に実施した後、前記第４工程を実施する温室の屋根面及び壁面の開口部を除く全面に引張力を付与して温室用フィルムを張設する温室用フィルム張設方法。
【請求項２】
フィルム受け部材とフィルム定着具とにより温室用フィルムの端部を定着する長尺のフィルム定着部材と、温室用部材に取付けられた耐張力部材と、からなる温室用フィルム張設装置であって、
前記フィルム受け部材は、前記フィルム定着具と協同して温室用フィルムを定着するフィルム定着部と、増力装置付引寄金具の第一の係合部を位置決めする位置決め部と、一方向に引っ張られた状態で前記耐張力部材の係止部に係合する係合部とを具備し、
前記耐張力部材は、温室用部材に取付ける取付固定部と、前記増力装置付引寄金具の第二の係合部を位置決めする位置決め部と、前記フィルム受け部材に設けられた前記係合部を受け入れて温室用フィルムに付与された引張力に対抗する係止部とを具備することを特徴とする温室用フィルム張設装置。
【請求項３】
前記耐張力部材は、温室構造材である谷樋の上方に沿って離間して延在する長尺の樋部材であり、前記谷樋の両端部に谷樋との間に断熱空間を形成しつつ固定されて該谷樋とで二重樋を構成し、前記谷樋内面に結露することを防止するとともに雨水を排水し、前記谷樋は温室内面に付着した結露水を排水するものであることを特徴とする請求項２に記載された温室用フィルム張設装置。
【請求項４】
前記フィルム受け部材は、両端部がアール凹部とされた蟻溝を有し、一方の側壁はその上端部に抜止兼補強用膨出部が形成され、他方の側壁は前記アール凹部に続いて逆向アール凸部とされたフィルム定着部と、該フィルム定着部の前記他方の側壁の外上方に形成された増力装置付引寄金具用位置決め部と、前記他方の側壁の外下方に形成された係合部とから構成され、
前記フィルム定着具は、一方の端部に嵌合用膨出部を備えるとともに他方の端部に内方に傾斜する傾斜側壁を備えた底板からなり、前記傾斜側壁下端部の外部形状はアール凸部とされ、
前記フィルム定着具の嵌合用膨出部は、前記フィルム受け部材の前記抜止兼補強用膨出部が形成された側のアール凹部に押し込まれて嵌合抜止され、他端部は、他側の側壁の逆向アール凸部の内面に沿って下方に押し込まれて他側のアール凹部に嵌合するものであることを特徴とするフィルム定着部材。
【発明の詳細な説明】
【技術分野】
【０００１】
本発明は、温室用フィルム張設方法及びその装置に関し、より詳しくは、フッ素樹脂製温室用フィルムの張設方法及びその装置に関するものである。
【背景技術】
【０００２】
従来、温室用フィルムを張設して構成する温室は、その骨組にフィルム受部材を設け、このフィルム受部材上に温室用フィルムを押さえ部材により押さえ込んで固定している。
【０００３】
フッ素樹脂製の温室用フィルムは一般に、広範囲な光の波長に対して高い透過率を有し、耐薬品性、離型性、耐候性に優れていることから、近年農業界において幅広く採用されつつある。
反面フッ素樹脂製の温室用フィルムは、ビニル系、オレフィン系、エステル系等の合成樹脂フィルムから成る一般の温室用フィルムに比べて温度変化による伸縮率が大きいため、所定の緊張力を与えて張設したとしても、温度変化により大きく伸張し、温室用フィルムに皺が発生するという問題が惹起している。
【０００４】
特開平０６−１５３７０７号公報には、フィルム受部材７１のフィルム受面Ｒに対向し、フィルム受面との間でフィルムを挟着する挟着部をもった部材本体７２と、挟着部の幅方向外側に位置し、部材本体からフィルム受部材とのフィルム挟着側に向かって突出し、フィルムを押圧する１対の第１押圧脚部７２１と、挟着部の幅方向内側に位置し、挟着部からフィルム受部材に向かって突出し、フィルムを押圧する１対の第２押圧脚部７２２とを備えた、温室におけるフィルム受部材上に温室用フィルムを押さえ込み、フィルムをフィルム受部材上に固定する温室用フィルムの押さえ部材７が開示されている。
【特許文献１】特開平０６−１５３７０７号公報
【０００５】
また、特開２００２−１７６８６１号公報には、一対の側板部がハウスパイプ９を挟んで対向して配設されるようにスライド部材８を位置させ、該一対の側板部の前方部位に各々形成した切り欠き部に温室用プラスチックフィルムの止め材を構成するベース部材１０を係合させた後、前記一対の側板部に各々形成された挿通部にくさび部材１１を挿通して、前記くさび部材１１が、前記スライド部材の挿通部に挿通された際、ハウスパイプ９に対向する対向部の中途に凹部１１１を有して形成され、該凹部を挟んだ両側の隆起部１１２のうちの挿通方向先端側の隆起部をハウスパイプに当接させ、スライド部材８をハウスパイプ９に仮止めする工程と、前記くさび部材１１をさらに押し込み、その凹部１１１にハウスパイプを対峙させて仮止めを解除し、ハウスパイプの適宜位置に取り外し可能に取り付けられるベース部１２１と、該ベース部に対して回動可能に支持されるハンドル部１２２と、該ハンドル部に一端が係合され、他端がスライド部材の一対の側板部に各々形成された被係合部に係合される連結部１２３とを備える操作部材１２を用い、そのベース部をハウスパイプの適宜位置に係合させ、ハンドル部を下方に回動させることにより、スライド部材８をハウスパイプ９に沿って下方にスライドさせて、温室用プラスチックフィルム（図示省略）を展張する工程と、前記工程により展張した位置において、前記くさび部材１１をさらに押し込み、挿通方向後端側の隆起部１１２をハウスパイプ９に当接させることにより、スライド部材８をハウスパイプに本止めする工程とを具備する温室用プラスチックフィルムの張設方法が記載されている。
【特許文献２】特開２００２−１７６８６１号公報
【発明の開示】
【発明が解決しようとする課題】
【０００６】
前記第１の従来技術にあっては、温室用フィルムの押さえ部材７２の外側に位置する１対の第１押圧脚部７２１と、内側に位置する１対の第２押圧脚部７２２とが、温室用フィルム６の展張方向に対して直交する方向に突出している関係から、フィルム受部材７１上に温室用フィルムを上方から押さえ込んだとしても、その展張方向への有効な引張力を作用させることが困難である。このため、温室用フィルム６に与えられるテンションが、温室用フィルムに対して必要とされるテンションに達しないという問題がある。
【０００７】
また、前記第２の従来技術は、ハウスパイプ９の適宜位置に取り外し可能に取付けられるベース部１２１と、該ベース部に対して回動可能に支持されるハンドル部１２２と、該ハンドル部に一端が係合され、他端がスライド部材８の一対の側板部に各々形成された被係合部に係合される連結部１２３とを備える操作部材１２を用い、そのベース部１２１をハウスパイプ９の適宜位置に係合させ、ハンドル部１２２を下方に回動させることにより、スライド部材８をハウスパイプ９に沿って下方にスライドさせて、温室用プラスチックフィルムを展張方向に引張ることができるから、フッ素樹脂製温室用フィルムに対して必要とされるテンションを与えることが可能である。
【０００８】
しかしながら、図６、図７に示されるように、スライド部材８を一旦ハウスパイプ９に仮止めした後、くさび部材１１をさらに押込んでその凹部１１１にハウスパイプを対峙させて仮止めを解除し、さらにハウスパイプ９の適宜位置に操作部材１２のベース部１２１を係合させてからそのハンドル部１２２を下方に回動させ、スライド部材８をハウスパイプ９に沿って下方にスライドさせて温室用フィルムを展張する、という複雑な展張作業を繰返す必要がある。
【０００９】
さらに、操作部材１２のベース部１２１は、スライド部材８を仮止めした位置よりも展張方向先側のハウスパイプ９の適宜位置に係合させる必要があることから、スライド部材８をハウスパイプの端部に取付けることができない。
このため、図６、図７に示した第２の従来技術では、フィルム止め材１０と温室下端部との間に張設するフッ素樹脂製温室用フィルムにはテンションを付与することはできない。
【００１０】
上記したように、従来技術はいずれも、温室に張設する温室用フィルムの全体に必要とするテンションを付与することは不可能である。このため、温室に展張されたフッ素樹脂製温室用フィルムは、夏季において温度変化により大きく伸張し、フッ素樹脂製温室用フィルムに皺が発生するという問題を充分に解決することができない。
【００１１】
以上の実状に鑑み、本発明は前記従来技術の欠点を克服することを目的とするものであり、極めて簡易な構成により、温室用フィルムの全体にテンションを付与しすることができ、温室に展張されたフッ素樹脂製温室用フィルムに皺が発生しない温室用フィルム張設方法及びその装置を提供することにある。
【課題を解決するための手段】
【００１２】
上記の目的を達成するため、請求項１に係る発明は、温室用フィルム張設方法を、温室の屋根面又は壁面に位置する温室用部材の任意の一方の端部に温室用フィルムの一端を固定する第１工程と、温室用フィルムの他端にフィルム定着部材を定着する第２工程と、温室の屋根面又は壁面に位置する温室用部材の任意の他方の端部に耐張力部材を取付ける第３工程と、前記フィルム定着部材を前記耐張力部材方向に引っ張り、前記フィルム定着部材の係合部を前記耐張力部材の係止部に係止する第４工程と、から構成し、前記第１乃至第３工程を順不同に実施した後、前記第４工程を実施する温室の屋根面及び壁面の開口部を除く全面に引張力を付与して温室用フィルムを張設するものとした。
【００１３】
また、請求項２に係る発明は、温室用フィルム張設装置を、フィルム受け部材とフィルム定着具とからなる温室用フィルムの端部を定着する長尺のフィルム定着部材と、温室用部材、好ましくはその端部に取付けられた耐張力部材と、から構成し、フィルム受け部材は、フィルム定着具と協同して温室用フィルムを定着するフィルム定着部と、増力装置付引寄金具の第一の係合部を位置決めする位置決め部と、一方向に引っ張られた状態で前記耐張力部材の係止部に係合する係合部とを備え、耐張力部材は、温室用部材、好ましくはその端部に取付ける取付固定部と、増力装置付引寄金具の第二の係合部を位置決めする位置決め部と、フィルム受け部材に設けられた係合部を受け入れて温室用フィルムに付与された引張力に対抗する係止部とを備えるものとした。
【００１４】
さらに、請求項３に係る発明は、請求項２に係る温室用フィルム張設装置において、耐張力部材は、温室構造材である谷樋の上方に沿って離間して延在する長尺の樋部材であって、谷樋の両端部に谷樋との間に断熱空間を形成しつつ固定されて谷樋とで二重樋を構成して、谷樋内面に結露することを防止するとともに雨水を排水するものとする一方、谷樋は温室内面に付着した結露水を排水するものとした。
【００１５】
さらにまた、請求項４に係る発明は、フィルム定着部材をフィルム受け部材とフィルム定着具とから構成し、フィルム受け部材は、両端部がアール凹部とされた蟻溝４１４を有し、一方の側壁はその上端部に抜止兼補強用膨出部が形成され、他方の側壁はアール凹部に続いて逆向アール凸部とされたフィルム定着部と、フィルム定着部の他方の側壁の外上方に形成された増力装置付引寄金具用位置決め部と、他方の側壁の外下方に形成された係合部とから構成され、フィルム定着具は、一方の端部に嵌合用膨出部を備えるとともに他方の端部に内方に傾斜する傾斜側壁を備えた底板からなり、傾斜側壁下端部の外部形状はアール凸部とされ、フィルム定着具の嵌合用膨出部は、フィルム受け部材の抜止兼補強用膨出部が形成された側のアール凹部に押し込まれて嵌合抜止され、他端部は、他側の側壁の逆向アール凸部の内面に沿って下方に押し込まれて他側のアール凹部に嵌合するものとした。
【発明の効果】
【００１６】
請求項１、２に係る発明によれば、単に、温室の屋根面又は壁面に位置する温室用部材の任意の端部に耐張力部材を取付け、温室用フィルムの一端を固定したフィルム定着部材を耐張力部材方向に引っ張って、フィルム定着部材の係合部を耐張力部材の係止部に係止するだけであるから、温室用フィルム取付け作業を著しく簡素化することができ、温室用フィルム張設コストを低減することができる。
また、温室用フィルムの一端を温室の屋根面又は壁面に位置する温室用部材の任意の一方の端部に固定する一方、耐張力部材を温室用部材の任意の他方の端部に取付ける作業を基本的な作業単位としているので、温室の表面に張設されるフィルム全体に必要とされるテンションを充分に付与することができる。よって、温室表面に張設されたフィルムの如何なる場所にも皺が発生することなく、日当たり不良による生育不良が生ずることがない。
しかも、温室用フィルム張設装置自体を小型化・軽量化できるから、その取扱いを容易化でき、フィルム張設作業を複数人が取組むことなく一人で行うことができる。
【００１７】
請求項３に係る発明によれば、耐張力部材を温室構造材である谷樋の上方に沿って離間して延在する長尺の樋部材としたので、温室用フィルムに付与されたテンションに充分に耐えうる耐力を備えたものとすることができる。
また、耐張力部材を谷樋の両端部に谷樋との間に断熱空間を形成しつつ固定して谷樋とで二重樋を構成したから、谷樋内面に結露することを防止するとともに雨水を排水可能とすることができ、さらに、谷樋は耐張力部材との間に形成された空隙から温室フィルム内面に付着した結露水を排水することができる。
【００１８】
請求項４に係る発明によれば、フィルム受け部材が、両端部がアール凹部とされた蟻溝を有し、一方の側壁はその上端部に抜止兼補強用膨出部が形成され、他方の側壁は前記アール凹部に続いて逆向アール凸部とされたフィルム定着部を有する一方、フィルム定着具は、一方の端部に嵌合用膨出部を備えるとともに他方の端部に内方に傾斜する傾斜側壁を備えた底板からなり、傾斜側壁下端部の外部形状はアール凸部とされているから、フィルム定着具の嵌合用膨出部は、フィルム受け部材の抜止兼補強用膨出部が形成された側のアール凹部に押し込まれて確実に嵌合抜止され、他端部は、他側の側壁の逆向アール凸部の内面に沿って下方に押し込まれて他側のアール凹部に容易に嵌合する。
したがって、温室用フィルムの端部は、容易且つ確実にフィルム定着部材に定着することができ、温室用フィルムに高張力が印加されてもフィルムが定着部材から脱出することはない。
また、増力装置付引寄金具の第１及び第２の係合部を、フィルム受け部材に形成された位置決め部と、耐張力部材に形成された位置決め部に係合させ、緊締具を緊締しつつフィルム定着部材を引寄せ、フィルム受け部材の係合部を耐張力部材の係止部に係止すればよいから、簡単な作業内容にてフッ素樹脂製温室用フィルムに強力なテンションを印加することが可能である。
【実施例】
【００１９】
図１乃至図４に、本発明に係る温室用フィルム張設装置を、柱、谷樋及び垂木を構造材とする連棟型温室に適用した実施例を示す。
図１は、本発明に係る温室用フィルム張設装置の要部を拡大して示す温室の部分拡大正面図、図２は、本発明に係るフィルム定着部材のフィルム受け部材の実施例の正面図、図３は、本発明に係フィルム定着部材のフィルム定着具の実施例の正面図、図４は、増力装置付引寄金具の斜視図である。なお、柱材については図示を省略してある。
【００２０】
以下、図１及び図４を参照して、本発明に係る温室用フィルム張設装置について詳細に説明する。
図１において、１は垂木、２は谷樋であり、ともに温室構造材である。この谷樋は複数立設された柱の上端に固定されている。
谷樋２は、鋼板の折曲材からなり、拡開Ｖ字状の底板２２と底板両端から上方へ立上がる側壁２３と側壁上端から斜め外方に延在する垂木固定部２４とから構成されている。この垂木固定部２４に垂木１の一方の端部が金具にて取付け固定される。
【００２１】
３はアルミ押型材からなる長尺の耐張力部材で、温室用フィルム表面を流下する雨水を排水する樋部と、その両端上方に連続する取付部とからなっており、その取付部外面に形成された取付固定部３３が、垂木１の一端部に固定された谷樋２の垂木固定部２４の内面に取付けられている。
この取付固定部３３は、角形のボルトヘッドを軸方向移動自在で回転不能に収容する短尺の収容室３４を備えており、この収容室下壁にはボルトを軸方向に移動自在に受入れるスリット３５が形成されている。
耐張力部材３は、この廻り止めされたボルトにナットを締付けることにより、垂木１と谷樋２に固定されている。
なお、この取付固定部３３は、長尺の耐張力部材３に温室の構造材としての垂木１の棟方向の間隔と同一の間隔で取付けられている。このため、温室に張設された温室用フィルム６の裏面を流下する結露水は、谷樋２の垂木固定部２４の内面と耐張力部材３の取付部の外面との間に形成された間隙から谷樋２の樋部に浸入する。
【００２２】
また、耐張力部材３の取付部内面には、温室用フィルムの一方の端部を定着したフィルム定着部材４を係止するための、樋部方向へ傾斜した係止部３１が突設されている。さらに樋部と取付部との境界には、取付部と垂直に壁が立設されており、この壁の樋部に面する壁のほぼ中央高さ位置に長手方向に連続する突起が形成され、この突起が増力装置付引寄金具５の一方の第２の係合部５２を位置決めする位置決め部３２として機能する。
【００２３】
４は一端が温室用部材に固定された温室用フィルムの他端を定着するためのフィルム定着部材である。
図２、３を参照して、フィルム定着部材４について説明する。
フィルム定着部材４は、フィルム受け部材４１とフィルム定着具４２から構成されている。
フィルム受け部材４１は、両端部がアール凹部とされた蟻溝４１４を有していて、一方の側壁はその上端部に抜止兼補強用膨出部４１５が形成されるとともに、他方の側壁は前記した蟻溝４１４の両端部のアール凹部に続いて逆向きのアール凸部４１６とされている。温室用フィルム６は、後述するフィルム定着具４２と協同して蟻溝４１４に沿って定着されるから、結局この蟻溝４１４がフィルム定着部４１１を構成している。
４１３は、フィルム定着部４１１の逆向アール凸部４１６を有する他方の側壁の外上方に形成され、増力装置付引寄金具５の第１の係合部５１を位置決めする位置決め部であり、前述した耐張力部材３の位置決め部３２と対向する位置関係にある。
また、係合部４１２は、逆向アール凸部を有する側壁の外下方に形成され、温室用フィルム６にテンションをかけた状態で前述の耐張力部材３の係止部３１に係合される。テンションのかけ方については後述する。
【００２４】
図３に示されたフィルム定着具４２は、一方の端部に嵌合用膨出部４２１を備えるとともに他方の端部に内方に傾斜する傾斜側壁４２２を備えた底板４２３からなり、傾斜側壁下端部の外部形状はアール凸部とされている。４２４は前述の嵌合用膨出部４２１の内方において傾斜側壁４２２と対称の補強傾斜壁である。
このフィルム定着具４２は、先ず、嵌合用膨出部４２１がフィルム受け部材４１の抜止兼補強用膨出部が形成された側のアール凹部に押し込まれて嵌合して抜止めされ、次いで、フィルム定着具４２の他端部が他側の側壁の逆向アール凸部４１６の内面に沿って下方に押し込まれると、他側の側壁を外方に若干変形させながらそのアール凹部に嵌合するものである。
【００２５】
フィルム受け部材４１とフィルム定着具４２はともに、アルミ押型材にて形成されており、フィルム受け部材４１の蟻溝４１４の幅とフィルム定着具４２の外幅とは同一寸法とされ、フィルム定着具４２の嵌合用膨出部４２１と他側のアール凸部の外半径は、フィルム受け部材４１の蟻溝４１４半径よりも若干小さく設定されている。
このため、フィルム受け部材の側壁は、先端部に形成された抜止兼補強用膨出部４１５により補強されてその変形が防止され、温室用フィルムの厚み分だけフィルム受け部材が伸びる一方フィルム定着具が縮んだ状態で両者が強力に一体化されているから、温室用フィルムの端部が定着されたフィルム定着部材が耐張力部材の方向に引寄せられる結果、温室用フィルムに強力なテンションがかかったとしても、フィルム定着具４２がフィルム受け部材４１から脱け出る恐れはない。
また、フィルム受け部材４１は、耐張力部材３内面をスムースに移動できるように、フィルム受け部材４１のフィルム定着部４１１と係合部４１２のそれぞれの底面は面一とされ、さらに、フィルム受け部材４１とフィルム定着具４２のそれぞれの底板上面には、フィルム定着具を温室に固定するビス止め作業を容易にするために、Ｖ溝が形成されている。
【００２６】
図４に、増力装置付引寄金具５を示す。この増力装置付引寄金具は、鋼材からなる平板を１種類の型枠を用いてプレス加工して製作された折曲材からなっており、平板部の下方部に断面コ字状膨出部が形成された短尺の折曲材を、互いに膨出部を外側に位置させた状態で組合せ、平板部の長さ方向両端部近傍の互いに対向する位置に増力装置としての増力装置５３挿通用の孔が穿設されたものである。
この増力装置付引寄金具５の断面コ字状膨出部のそれぞれの内側下縁は、一方がフィルム定着部材の位置決め部４１３に係合する第１の係合部５１と、他方が耐張力部材の位置決め部３２に係合する第２の係合部５２として機能するものである。
【００２７】
以上、温室用フィルム張設装置について説明したが、次いでこの張設装置を用いて温室用フィルムを温室表面に張設する方法について説明する。
【００２８】
（準備作業１）
温室の外面に温室用フィルムを張設するとき、張設の基端部となる温室用フィルムの一端部は、温室の屋根面に位置する合掌の斜材や垂木や柱材のような、温室用フィルムの張設方向と同一の方向の温室用部材にあってはその一端部に、また、同じく温室の屋根面に位置する棟木や母屋材のような、温室用フィルムの張設方向と直交する方向の温室用部材にあってはその部材に、固定される。
【００２９】
このとき使用する温室用フィルム基端の定着部材としては、従来より一般的に用いられている公知のフィルム定着部材を使用することも可能であるが、温室用フィルムに強力なテンションがかかるので、上述したフィルム受け部材４１とフィルム定着具４２を用いることが好ましい。
このフィルム受け部材４１を温室の温室用部材に固定するには、部材の部材フィルム定着部４１１に長手方向に形成されたＶ溝に沿って温室用部材にビス止めすればよい。そして、温室用部材に固定されたフィルム受け部材のフィルム定着部４１１に温室用フィルムの基端を載置して、その上からフィルム定着具４２を押し込む。このとき、フィルム受け部材の抜止兼補強用膨出部４１５とフィルム定着具の嵌合用膨出部４２１とは、強力な張力によって抜け出ることのないようにするため、テンションが付加される方向側に位置させるとよい。
【００３０】
（準備作業２）
上述の温室用フィルムの基端を温室用部材に固定する作業とは別に、温室用フィルムの先端にフィルム定着部材を定着する作業がある。
この作業内容は、前述した温室用フィルムの一端を温室用部材に固定する作業とほぼ同じである。ただし、フィルム受け部材４１を温室の温室用部材に固定する必要はなく、フィルム定着部材は単に温室用フィルムの端部に定着するだけでよい。
【００３１】
このとき、温室用フィルムに与えるテンションは１方向であるので、フィルムを定着するために必要な定着代を除くテンションを付与する方向の実質的な長さは、テンションを付与しない自然状態では被覆しようとする温室の要被覆長さよりも短く設定されている。
したがって、温室用フィルムの一端に定着されたフィルム定着部材と耐張力部材との間には、テンションを付加することによって延伸する長さ分だけ間隙が存在する。
【００３２】
（準備作業３）
その他の作業内容として、耐張力部材３を温室用部材に取付ける作業がある。
この作業は、温室用構造材である柱（図示せず）と谷樋２と垂木１とを、互いに連結固定する際に、行ってもよいし、３者を連結固定後において、垂木１と谷樋２の固定金具を緩めて取付けてもよい。
耐張力部材３を取付ける際には、耐張力部材３に谷樋２の間隔ごとに短尺に形成された取付固定部３３のスリット３５を介して固定金具のボルトヘッドを収容室３４に臨ませ、廻り止めしてナットを締付け、耐張力部材３を谷樋２と垂木１に固定するのである。
以上の準備作業１乃至３は、そのいずれを先に行うべきであるという関係になく、順不同に実行すればよいものであり、これをもって準備作業は完了する。
次いで、次の張設作業を行うこととなる。
【００３３】
（張設作業）
準備作業が完了した時点では、フィルム定着部材４と耐張力部材と３は一体化されておらず、両者は拘束されない自由状態にある。
したがって次の作業内容は、温室用フィルムを引張ってテンションを付与し、フィルム受け部材４１の係合部４１２を耐張力部材３の係止部３１に係合させるものとなる。
このとき使用する簡易な引張り装置、すなわちテンション付与装置が、図４に示された増力装置付引寄金具５である。
この増力装置付引寄金具５のボルトナットからなる増力装置５３を緩めて、第１の係合部５１と第２の係合部５２の間隔を広げて、第１の係合部５１をフィルム受け部材４１の位置決め部４１３に係合させるとともに、第２の係合部５２を耐張力部材の係止部３１に係合させ、増力装置５３を締付けて両係合部５１、５２の間隔を狭めてフィルム定着部材４を耐張力部材３方向に引寄せる。
【００３４】
このテンション付与作業は、幅数メートル乃至十数メートルにも及ぶ長尺の温室用フィルムに対して行うものである。
したがって、同時に複数台、通常は同時に３台、の増力装置付引寄金具５を使用して、１台毎に少しずつ幅寄せを行うようにして引寄せていく。
この作業を複数台の増力装置付引寄金具５に対して繰り返し行うことにより、温室用フィルムに強力なテンションを付与していくのである。
【００３５】
そして最後に、フィルム受け部材の係合部４１２を耐張力部材の係止部３１に係合させて、温室用フィルムの張設作業を終了する。
なお、温室に展張されたフッ素樹脂製温室用フィルムが、長年の使用や温度変化等により伸張し、フッ素樹脂製温室用フィルムに皺が発生するような事態が生じたときは、フィルム定着部材４と耐張力部材３の係合を一旦解除して、フィルム定着部材４の位置を温室用フィルムのテンション付与方向の長さを短くした上で、再度この張設作業をやり直せばよい。
【図面の簡単な説明】
【００３６】
【図１】本発明に係る温室用フィルム張設装置を温室谷部に適用した実施例の部分正面図である。
【図２】本発明に係るフィルム受け部材の拡大正面図である。
【図３】本発明に係るフィルム定着具の拡大正面図である。
【図４】本発明に係る増力装置付引寄金具の拡大斜視図である。
【図５】第１の従来例の断面図である。
【図６】第２の従来例の平面図である。
【図７】第２の従来例の斜視図である。
【符号の説明】
【００３７】
１      垂木
２      谷樋（結露水用樋部材）
２１    断熱空間
２２    拡開Ｖ字状の底板
２３    側板２３
２４    垂木固定部
３      耐張力部材（雨水用樋部材）
３１    係止部
３２    位置決め部
３３    取付固定部
３４    収容室
３５    スリット
４      フィルム定着部材
４１    フィルム受け部材
４１１  フィルム定着部
４１２  係合部
４１３  位置決め部
４１４  蟻溝
４１５  抜止兼補強用膨出部
４１６  逆向アール部
４２    フィルム定着具
４２１  嵌合用膨出部
４２２  傾斜側壁
４２３  底板
４２４  補強傾斜壁
５      増力装置付引寄金具
５１    第１の係合部
５２    第２の係合部
５３    増力装置
６      温室用フィルム
７      第１の従来例の温室用フィルムの押さえ部材
７１    フィルム受部材
７２    部材本体
７２１  第１押圧脚部
７２２  第２押圧脚部
８      第２の従来例のスライド部材
９      ハウスパイプ
１０    ベース部材
１１    くさび部材
１１１  凹部
１１２  隆起部
１２    操作部材
１２１  ベース部
１２２  ハンドル部
１２３  連結部
【図３】
2006187224.tif 000003
【図６】
2006187224.tif 000004
【図１】
2006187224.tif 000005
【図２】
2006187224.tif 000006
【図４】
2006187224.tif 000007
【図５】
2006187224.tif 000008
【図７】
2006187224.tif 000009